(57)【要約】【課題】本発明は、従来の吸盤付きカップホルダーなどは止着後の操作が煩雑であり構造が複雑であるという問題点を解決することを目的としてなされたものであり、小児・老人・障害者などの人に簡易な操作で吸盤一体型容器をテーブルなどに載置し、飲料用食器などを抱持し転倒・移動を防止する吸盤一体型容器を提供するもの。【解決手段】上記課題を解決することを目的としてなされた本発明の構成は、容器の転倒、移動などを防止する吸盤一体型容器であって、当該容器を底部周縁又は底部内周壁部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を、吸盤体を回転させることなく逆方向に回転させることによって前記吸盤体の中心部を押下げてその吸盤体の吸着作用を解くようにした吸盤体の操作機構を介在させたことを特徴とする吸盤一体型容器。【選択図】  図１
2005040642.tif 000002
【特許請求の範囲】
【請求項１】
容器底部から上方に向け立壁部を配設してカップやポットなどを収容又は抱持するカップホルダー型の吸盤一体型容器であって、当該容器を底部外周縁又は底部内周壁部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を吸盤体を回転させることなく逆方向に回転させることによって前記吸盤体の中心部を押下げてその吸盤体の吸着作用を解くようにした吸盤体の操作機構を介在させたことを特徴とする吸盤一体型容器。
【請求項２】
容器の立壁部に把手を有する飲料用容器を抱持する為のスリット状開放部を設けた請求項１の吸盤一体型容器。
【請求項３】
容器の立壁部をテレスコピック式の折畳み構造とした請求項１の吸盤一体型容器。
【請求項４】
容器底部から上方に向け円錐台状などの立壁部を設けて小動物用給餌皿に形成した吸盤一体型容器であって、当該容器を底部外周縁又は底部内周部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を吸盤体を回転させることなく逆方向に回転させることによって前記吸盤体の中心部を押下げてその吸盤体の吸着作用を解くようにした吸盤体の操作機構を介在させたことを特徴とする吸盤一体型容器。
【請求項５】
容器を食器とする為、該容器の形状をカップ状、皿状、茶碗状、丼鉢状などの食器に形成した吸盤一体型容器であって、当該容器を底部外周縁又は底部内周部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を吸盤体を回転させることなく逆方向に回転させることによって前記吸盤体の中心部を押下げてその吸盤体の吸着作用を解くようにした吸盤体の操作機構を介在させたことを特徴とする吸盤一体型容器。
【請求項６】
容器底部より上方へ向け合成樹脂、硝子、陶磁器を円筒状などをなす立壁状に形成して灰皿などの食器以外の物入れに形成した吸盤一体型容器であって、当該容器を底部外周縁又は底部内周部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を吸盤体を回転させることなく逆方向に回転させることによって前記吸盤体の中心部を押下げてその吸盤体の吸着作用を解くようにした吸盤体の操作機構を介在させたことを特徴とする吸盤一体型容器。
【請求項７】
吸盤体の操作機構は、容器底部下面の中心部位と吸盤体上面の対応部位の間に、容器の正、逆回転により吸盤体の中心部を昇降させるネジ式昇降機構を設けて形成した請求項１〜６のいずれかの吸盤一体型容器。
【請求項８】
吸盤体のネジ式昇降機構は、容器底部下面の同芯上に外向き又は内向き突起を有して下向きに設けた短筒体と、吸盤体上面の同芯上に設けて前記筒体の外側に被さるか又は内側に入り、前記突起と螺合するネジ溝を内周面又は外周面に形成した上向き短筒体とにより形成した請求項７の吸盤一体型容器。
【請求項９】
請求項８又は請求項９の機構を略円形状の平面板の下面に配設し、上面にカップホルダー型などの容器を貼付した請求項２〜６のいずれかの吸盤一体型容器。
【発明の詳細な説明】
【技術分野】
【０００１】本発明は、吸盤一体型容器に関するものである。
【背景技術】
【０００２】従来、吸盤付きカップホルダーは種々のものがあるが、例えば特開平８−７０９７５号公報に示される子供用吸盤付きコースターがある。この子供用吸盤付きコースターは底部に吸盤を複数個設け底板上部におもりを配設した構成であり、構造が複雑で一度載置したコースターを簡単に取り外すことが容易でない。【０００３】また従来のこの種の別の装置として、実登第３０２６７５７号公報に示されるものがある。この吸着式容器転倒防止具は底部に吸盤部を設け底部吸盤部とその上部に容器受部を設け、吸盤体を天板上に吸着したまま容器受部が回転可能なものであることを特徴とするものであり、吸盤体の吸着作用を解くことが煩わしく、不特定の場所、位置での使用に適さない。
【発明の開示】
【発明が解決しようとする課題】
【０００４】本発明は、従来の吸盤付カップホルダーなどは吸着後の取外し操作がし難く構造が複雑であり又、吸盤と本体とが一体となったものに在っては吸盤の吸着手段が単に器具を下圧して行い器具本体が安定し難いという問題点を解決することを目的としてなされたものであり、小児、老人、障害者などの人に簡易な操作で吸盤一体型容器をテーブルなどに載置し、飲料用容器、哺乳瓶、電気ポット、花瓶などを収容又は抱持し転倒・移動を防止する吸盤一体型容器を提供しようとするものである。
【課題を解決する為の手段】
【０００５】上記課題を解決することを目的としてなされた本発明の構成は、容器の転倒、移動などを防止する吸盤一体型容器であって、当該容器を底部周縁又は底部内周壁部において吸盤体の上面周縁に回転可能に装着すると共に、前記容器の底部下面と前記吸盤体上面との間に、前記容器を吸盤体を回転させずに一方向に回転させることによって前記吸盤体の中心部を持上げその吸盤体に吸着作用をさせる一方、当該容器を、吸盤体を回転させることなく逆方向に回転させることによって前記吸盤体の中心部を押下げてその吸盤体の吸着作用を解くようにした吸盤体の操作機構を介在させたことを特徴とする吸盤一体型容器。
【０００６】テーブルなど表面が平滑な台上に吸盤部を下方にして載置し、軽く下圧して吸盤体の移動を阻止しながら容器本体を回転させると吸盤体中央部が上昇しテーブルなどと吸盤部との間に負圧が生じ容器は強く台上に吸着する。この吸着状態から容器本体を逆に回転すると吸盤体が下方に移動し吸着状態を解除することができる。
【０００７】様々な寸法、形態の容器に対応する為、吸盤体を容器底部周縁に設けるほか、底部周縁内側に吸盤部を取付ける為、容器底部下面に下向きに立壁を設け底部内周壁部とする。
【０００８】請求項２に示す立壁部に設けるスリット状開放部は、把手を有する飲料用容器を抱持する為のものであり小児用に多く見られる把手付き飲料用容器、把手付紙コップなど様々な容器に使用できる。
【発明を実施するための最良の形態】
【０００９】本発明の実施の形態を添付図面及び符号に基づいて詳細に説明する。図１は本発明の一例を示す断面図であり、吸盤一体型容器の吸盤体３は上面に配設した上向き短筒体６、上向き短筒体螺合部６−Ａを介し下向き短筒体螺合部５−Ａと螺合し、下向き短筒体５を介在し吸盤体を除き容器底部と一体に形成され、容器底部１下面には吸盤体３を設け立壁部２は略円筒形とし把手を有する飲料食器用容器などを抱持する為のスリット状開放部４を備える。
図２は、図１の平面図であり、図３は、立壁部２を逆円錐台状とした例である。図４は立壁部２をテレスコピック式の折畳み構造とした別例である。図５は吸盤体を底部内周壁部７に配設した例である。
図６は小動物用給餌皿とした例の断面図であり、図７は食器とした例の断面図であり、図８は本容器吸盤機構を容器底面に貼付した例の断面図である。【００１０】吸盤体３は、合成ゴムとし容器は金属、合成樹脂、陶磁器で形成する。【００１１】本発明における吸盤一体型容器の形状、材質は上述のものに限定されるものではないことは勿論である。
【発明の効果】
【００１２】本発明の吸盤一体型容器を使用し飲料用食器を抱持する場合において、本器具をテーブル上などに載置し、９０度程度回転させることで吸盤体が作用し簡易に容器の固定が可能であり小児・老人特に身体にハンディキャップをもつ機能障害者などへの支援になるほか、飛行機、観光バスなど若干の揺れを伴うの乗り物での飲料サービスなどにも有用な道具となりうる。又テレスコピック式の折畳み構造のものは、小児などを同伴する外出時などの携帯に便利である。
【００１３】本発明吸盤一体型容器を小動物用給餌皿に使用すると、給餌、給水時などにも給餌皿が移動せず内容物が散乱し周囲を汚染することなどなく清潔に給餌ができる。
【００１４】本発明吸盤一体型容器を食器として使用すれば、小児・老人、身障者などの食器として移動せず片手で食事が可能など有用な道具となる。
【００１５】又、本容器を灰皿とすると観光バスなどの移動時にも安全に使用できるほか、湯沸しポットなどを抱持する大きさのものは、器具の転倒を防ぎ乳幼児などにとって安全である。
【図面の簡単な説明】
【００１６】
【図１】本発明吸盤一体型容器の一例の断面図。
【図２】本発明吸盤一体型容器の一例の平面図。
【図３】本発明吸盤一体型容器の別例の断面図。
【図４】本発明吸盤一体型容器のテレスコピック式折畳み構造の断面図。
【図５】本発明吸盤一体型容器の例の断面図。
【図６】本発明吸盤一体型容器の小動物用給餌皿の例の断面図。
【図７】本発明吸盤一体型容器の食器の例の断面図。
【図８】本発明吸盤一体型容器の例の断面図。
【符号の説明】
【００１７】    １  容器底部
２  立壁部
３  吸盤体
４  スリット状開放部
５  下向き短筒体
５−Ａ  下向き短筒体螺合部
６  上向き短筒体
６−Ａ  上向き短筒体螺合部
７  飲料用食器
８  テレスコピック式折畳み構造
９  底部内周壁部
【図１】
2005040642.tif 000003
【図２】
2005040642.tif 000004
【図３】
2005040642.tif 000005
【図４】
2005040642.tif 000006
【図５】
2005040642.tif 000007
【図６】
2005040642.tif 000008
【図７】
2005040642.tif 000009
【図８】
2005040642.tif 000010